(57)【要約】【課題】フィルタの吸気抵抗を低減することが可能なフィルタ装置及び電気機器を提供する。【解決手段】電気機器１０は、筐体１１と、筐体１１に設けられたフィルタ装置２０と、フィルタ装置２０を通って筐体１１の内部に導入されたエアを筐体１１に設けられた排気孔２４から排出する排気ファン２２と、を備え、フィルタ装置２０が、フィルタ３６と、一方向に延びる回転軸Ｊの回りに開閉し、第１の吸気孔５６が形成された開き扉３２と、回転軸Ｊと実質的に直交する方向に間隔を有して配置され、フィルタ３６の一方の面を押圧する複数の第１の押圧部材４６と、開き扉３２の裏側に、回転軸Ｊと実質的に直交する方向に間隔を有して配置され、フィルタ３６の他方の面を押圧する複数の第２の押圧部材５８とを有し、フィルタ３６に、頂部が回転軸Ｊの方向に沿って延びる突部６０が回転軸Ｊと実質的に直交する方向に間隔を有して形成されている。【選択図】図４
2012146825.tif 000002
【特許請求の範囲】
【請求項１】
筐体と、
前記筐体に設けられたフィルタ装置と、
前記フィルタ装置を通って前記筐体の内部に導入されたエアを該筐体に設けられた排気孔から排出する排気ファンと、を備え、
前記フィルタ装置が、フィルタと、
一方向に延びる回転軸の回りに開閉し、第１の吸気孔が形成された開き扉と、
前記回転軸と実質的に直交する方向に間隔を有して配置され、前記フィルタの一方の面を押圧する複数の第１の押圧部材と、
前記開き扉の裏側に前記回転軸と実質的に直交する方向に間隔を有して配置され、前記フィルタの他方の面を押圧する複数の第２の押圧部材とを有し、
前記フィルタに、頂部が前記回転軸の方向に沿って延びる突部が前記回転軸と実質的に直交する方向に間隔を有して形成されている電気機器。
【請求項２】
請求項１記載の電気機器において、前記開き扉によって覆われる前面側が開口した前記フィルタを収めるフィルタ受け部を更に備え、
前記複数の第１の押圧部材が、前記フィルタ受け部の内部に配置されている電気機器。
【請求項３】
請求項２記載の電気機器において、前記第１の押圧部材は、板状の部材であり、前記第２の押圧部材は、棒状の部材である電気機器。
【請求項４】
請求項３記載の電気機器において、前記フィルタ受け部は、背面側に背面板を有し、
前記背面板に空気が通る第２の吸気孔が形成されている電気機器。
【請求項５】
フィルタと、
一方向に延びる回転軸と実質的に直交する方向に間隔を有して配置され、前記フィルタの第１の面を押圧する複数の第１の押圧部材と、
前記回転軸回りに開閉する開き扉の裏側に、前記回転軸と実質的に直交する方向に間隔を有して配置され、前記フィルタの第１の面とは反対の側の面を押圧する複数の第２の押圧部材とを備え、
前記フィルタに、頂部が前記回転軸の方向に沿って延びる突部が前記回転軸と実質的に直交する方向に間隔を有して形成されているフィルタ装置。
【発明の詳細な説明】
【技術分野】
【０００１】
本発明は、フィルタ装置及び電気機器に関する。
【背景技術】
【０００２】
特許文献１には、配電盤が記載されている。この配電盤は、電気機器を収容した筐体に開口部が形成されている。開口部を閉塞する蓋が筐体の外部へ向かって開閉自在に設けられ、蓋に吸気孔が形成されるとともに蓋の内面にはフィルタが取り付けられている。
【先行技術文献】
【特許文献】
【０００３】
【特許文献１】特開平９−９３７２８号公報
【発明の概要】
【発明が解決しようとする課題】
【０００４】
ここで一般に、フィルタをプリーツ状に形成することにより、フィルタの表面積が増え、フィルタの吸気抵抗が低減される。
本発明は、フィルタの吸気抵抗を低減することが可能なフィルタ装置及び電気機器を提供することを目的とする。
【課題を解決するための手段】
【０００５】
前記目的に沿う第１の発明に係る電気機器は、筐体と、
前記筐体に設けられたフィルタ装置と、
前記フィルタ装置を通って前記筐体の内部に導入されたエアを前記筐体に設けられた排気孔から排出する排気ファンと、を備え、
前記フィルタ装置が、フィルタと、
一方向に延びる回転軸の回りに開閉し、第１の吸気孔が形成された開き扉と、
前記回転軸と実質的に直交する方向に間隔を有して配置され、前記フィルタの一方の面を押圧する複数の第１の押圧部材と、
前記開き扉の裏側に前記回転軸と実質的に直交する方向に間隔を有して配置され、前記フィルタの他方の面を押圧する複数の第２の押圧部材とを有し、
前記フィルタに、頂部が前記回転軸の方向に沿って延びる突部が前記回転軸と実質的に直交する方向に間隔を有して形成されている。
【０００６】
第１の発明に係る電気機器において、前記開き扉によって覆われる前面側が開口した前記フィルタを収めるフィルタ受け部を更に備え、
前記複数の第１の押圧部材が、前記フィルタ受け部の内部に配置されていることが好ましい。
【０００７】
第１の発明に係る電気機器において、前記第１の押圧部材は、板状の部材であり、前記第２の押圧部材は、棒状の部材とすることができる。
【０００８】
第１の発明に係る電気機器において、前記フィルタ受け部は、背面側に背面板を有し、
前記背面板に空気が通る第２の吸気孔が形成されていることが好ましい。
【０００９】
前記目的に沿う第２の発明に係るフィルタ装置は、フィルタと、
一方向に延びる回転軸と実質的に直交する方向に間隔を有して配置され、前記フィルタの第１の面を押圧する複数の第１の押圧部材と、
前記回転軸回りに開閉する開き扉の裏側に、前記回転軸と実質的に直交する方向に間隔を有して配置され、前記フィルタの第１の面とは反対の側の面を押圧する複数の第２の押圧部材とを備え、
前記フィルタに、頂部が前記回転軸の方向に沿って延びる突部が前記回転軸と実質的に直交する方向に間隔を有して形成されている。
【発明の効果】
【００１０】
本発明に係るフィルタ装置及び電気機器においては、本発明の構成を有さない場合と比較して、フィルタの吸気抵抗を低減することが可能である。
【図面の簡単な説明】
【００１１】
【図１】本発明の一実施の形態に係るインバータの正面図である。
【図２】同インバータの側断面図である。
【図３】同インバータが有するフィルタ装置の正面図である。
【図４】図３のＸ−Ｘ断面図である。
【図５】図４のＡ部拡大図である。
【図６】同インバータが有するフィルタ装置の、フィルタを取り外した状態を示す平断面図である。
【図７】同インバータが有するフィルタ装置の開き扉の開閉動作を示す説明図である。
【図８】同インバータが有するフィルタ装置にフィルタを取り付ける手順を示す説明図である。
【発明を実施するための形態】
【００１２】
続いて、添付した図面を参照しつつ、本発明を具体化した実施の形態につき説明し、本発明の理解に供する。なお、各図において、説明に関連しない部分は図示を省略する場合がある。
【００１３】
図１に示す本発明の一実施の形態に係る直列多重インバータ（電気機器の一例、以下、単に「インバータ」という。）１０は、筐体１１と、筐体１１の内部に配置された入力トランス（不図示）及び複数のセルインバータ１２（図２参照）を有している。
インバータ１０は、筐体１１の前面に複数の防塵用のフィルタ装置２０を備えている。特に、インバータ１０を正面視して右側の３つのフィルタ装置２０は、内部を保守するために筐体１１の前面に設けられた前扉２１に取り付けられてもよい。
また、インバータ１０の筐体１１の天井部分には、排気ファン２２が設けられている。インバータ１０の上部（排気ファン２２の上方）には、直方体状をした中空の排気部２３が設けられている。排気部２３の側面には、排気孔２４が形成されている。なお、排気部２３の上面には、埃等の進入を防止するために排気孔は形成されていない。
フィルタ装置２０を通って導入されたエアは、図２の矢印で示すように、内部のセルインバータ１２を冷却して、排気ファン２２により排気部２３へと流れる。排気部２３に流れたエアは、排気孔２４から排出される。
【００１４】
次に、フィルタ装置２０について詳細に説明する。
本実施の形態に示すフィルタ装置２０は、図３、図４、図６及び図７に示すように、フィルタ受け部３４と、フィルタ受け部３４の前面に設けられた開き扉３２と、フィルタ３６とを備えている。
【００１５】
フィルタ受け部３４は、インバータ１０の筐体１１の前面側に設けられている。フィルタ受け部３４は、背面に設けられた背面板４２、並びに背面板４２から前方に延びる上側面板（不図示）、下側面板（不図示）、左側面板４４及び右側面板４５とを有している。即ちフィルタ受け部３４には、背面板４２、並びに上側面板、下側面板、左側面板４４、及び右側面板４５により、前面が開口し、内部にフィルタ３６を収めるための直方体状の空間Ｓが形成されている。
【００１６】
背面板４２には、複数の図示しない吸気孔（第２吸気孔の一例）が形成されている。吸気孔の大きさは、事故を防止するために、インバータ１０の保守作業者の指が入らない大きさとなっている。
フィルタ受け部３４の前面側には、それぞれが上下方向に延び、間隔をあけて左右方向に複数配置された第１の押圧部材４６が設けられている。詳細には、第１の押圧部材４６は、この第１の押圧部材４６を長手方向（上）から見ると（平面視すると）、図６に示すように、フィルタ受け部３４の開口した前面よりも、距離Ｄ１だけ後側に位置するように配置されている。この第１の押圧部材４６の形状は、例えば、丸棒状である。
【００１７】
開き扉３２は、例えばインバータ１０を正面視して空間Ｓの右側端部に設けられた上下方向に延びる回転軸Ｊ回りに開閉し、フィルタ受け部３４の開口部を覆うことができる。なお、平面視すると、この回転軸Ｊの中心と押圧部材４６の中心は、実質的に直線上に並んで配置される。
開き扉３２の左側には、上下方向に例えば２箇所の爪部５２が設けられている。図５に示すように、開き扉３２が閉じられると、これら爪部５２がフィルタ受け部３４の左側面板４４に形成された孔５４に内側から嵌合し、開き扉３２がフィルタ受け部３４に固定される。
【００１８】
開き扉３２には、複数の吸気孔（第１の吸気孔の一例）５６が形成されている。なお、この吸気孔５６は、図３においては、一部のみ示している。吸気孔５６の大きさは、事故を防止するために、インバータ１０の保守作業者の指が入らない大きさとなっている。
【００１９】
開き扉３２は、背面（裏側）に、それぞれが後方に突出すると共に上下方向に延び、間隔をあけて左右方向に複数配置された第２の押圧部材５８を有している。この第２の押圧部材５８は、例えば、板材である。
なお、第１の押圧部材４６及び第２の押圧部材５８は、それぞれ回転軸Ｊと直交する方向に間隔を有して配置されている。ここに言う「直交」とは、厳密な意味での直交ではない。即ち、「直交」とは、設計上、製造上の誤差が許容され、「実質的に直交」という意味である。具体的には、例えば、８５度〜９５度の範囲内で第１の押圧部材４６及び第２の押圧部材５８がそれぞれ回転軸Ｊと交差する方向に間隔を有して形成されていればよい。
図６に示すように、開き扉３２を閉じた状態においては、第１の押圧部材４６の長手方向（上）から見ると（平面視すると）、第２の押圧部材５８の先端部分は、第１の押圧部材４６の中心位置よりも、距離Ｄ２だけインバータ１０の後ろ側に位置するように配置される。
【００２０】
フィルタ３６の材質は、例えばポリエステル／モダアクリルである。
フィルタ３６は、フィルタ受け部３４の第１の押圧部材４６と開き扉３２の第２の押圧部材５８によって、それぞれ前面側と背面側とが押し付けられフィルタ受け部３４に取り付けられる。
フィルタ受け部３４に取り付けられたフィルタ３６は、両面がそれぞれ第１及び第２の押圧部材４６、５８によって押圧され、頂部が回転軸Ｊの方向に沿って延びる突部６０が回転軸Ｊと直交する方向に間隔を有して形成されている。なお、ここに言う「直交」とは、厳密な意味での直交ではない。即ち、「直交」とは、設計上、製造上の誤差が許容され、「実質的に直交」という意味である（以下、同様）。具体的には、例えば、８５度〜９５度の範囲内で突部６０が回転軸Ｊと交差する方向に間隔を有して形成されていればよい。
なお、フィルタ受け部３４の背面板４２及び開き扉３２には、それぞれ吸気孔が形成されているので、インバータ１０に吸入されるエアの流れは妨げられない。
【００２１】
次に、フィルタ受け部３４にフィルタ３６を取り付ける際のフィルタ装置２０の動作について、図８に基づいて説明する。
まず、図８上図に示すように、開き扉３２が開いた状態で、フィルタ３６の右端部が、フィルタ装置２０の前面から、空間Ｓの右側（第１の押圧部材４６の右側）へと挿入される。フィルタ３６の右端部は、フィルタ受け部３４の右角部に突き当たる。
次に、図８中図に示すように、開き扉３２が徐々に閉められる。フィルタ３６は、一番右側の第２の押圧部材５８に接触し、一番右側の第１の押圧部材４６にて折り返され、突部６０が形成される。更に開き扉３２が閉まると、フィルタ３６は、第１の押圧部材４６にて順次折り返され、更に突部６０が形成される。
【００２２】
開き扉３２の爪部５２がフィルタ受け部３４に形成された孔５４に挿入されると、図８下図に示すように、開き扉３２がフィルタ受け部３４に固定される。フィルタ３６は、両面がそれぞれ第１及び第２の押圧部材４６、５８によって押圧される。前述のように、フィルタ３６には、頂部が回転軸Ｊの方向に沿って延びる突部６０が回転軸Ｊの方向と直交する方向に間隔を有して形成された状態となる。即ち、フィルタ３６を取り付けることにより、フィルタ３６がプリーツ状に形成される。
【００２３】
このように、平板状のフィルタ３６が、インバータ１０に取り付けられるだけで、頂部が一方向に延びる突部６０が間隔を有して形成されるので、フィルタ３６の表面積が増え、突部６０が形成されない場合よりも吸気抵抗が低減される。
【００２４】
なお、本発明は、前述の実施の形態に限定されるものではなく、本発明の要旨を変更しない範囲での変更は可能である。例えば、前述の実施の形態や変形例の一部又は全部を組み合わせて発明を構成する場合も本発明の技術的範囲に含まれる。
【００２５】
内部にフィルタ３６を収めるための空間Ｓは、インバータ１０の本体側（インバータ１０から開き扉３２を除いた部分）に設けられていたが、開き扉３２側に設けられていてもよい。即ち、開き扉３２側にフィルタ３６を取り付けてもよい。
【００２６】
開き扉３２を開閉するための回転軸Ｊは、上下方向に延びているが、左右方向に延びていてもよい。即ち、上下方向に開く開き扉についても本発明を適用することが可能である。ただし、第１及び第２の押圧部材４６、５８は、それぞれ上下方向に並んで配置される。更に言えば、開き扉３２の開閉方向は限定されるものではない。
【００２７】
また、第１の押圧部材４６が例えば板材で構成され、第２の押圧部材５８が丸棒状の部材で形成されていてもよい。
また、フィルタ装置２０は、筐体１１の前扉２１に取り付けられていても、取り付けられていなくても良い。
【００２８】
電気機器の他の例として、ロボットの制御装置、ポンプの制御装置、工作機械の制御装置、プラントの制御装置、及び防災監視システムの制御装置等であってもよい。
また、電気機器の更に他の例として、例えば、空気清浄機、布団乾燥機、エアコン、配電盤、サーバラックに収納された電子計算機等が挙げられる。
【００２９】
前述のフィルタ装置は、例えば自動車等のエンジンのフィルタ装置として適用することも可能である。
また、前述のフィルタ装置は、吸気用のフィルタ装置以外にも、排気用のフィルタ装置として適用することも可能である。
【００３０】
なお、前述の実施の形態にて説明したインバータ１０は、慣用的に「インバータの制御盤」と呼ばれる場合がある。
【符号の説明】
【００３１】
１０：インバータ、１１：筐体、１２：セルインバータ、２０：フィルタ装置、２１：前扉、２２：排気ファン、２３：排気部、２４：排気孔、３２：開き扉、３４：フィルタ受け部、３６：フィルタ、４２：背面板、４４：左側面板、４５：右側面板、４６：第１の押圧部材、５２：爪部、５４：孔、５６：吸気孔、５８：第２の押圧部材、６０：突部
【図１】
2012146825.tif 000003
【図２】
2012146825.tif 000004
【図３】
2012146825.tif 000005
【図４】
2012146825.tif 000006
【図５】
2012146825.tif 000007
【図６】
2012146825.tif 000008
【図７】
2012146825.tif 000009
【図８】
2012146825.tif 000010